(57)【特許請求の範囲】
【請求項１】
駆動機構により動く可動体を備えた演出装置や可変入賞口が遊技盤に設けられており、該遊技盤の下縁より下方に位置するように透明な封印ケースを固設し、前記可変入賞口の開閉動を司る主制御基板を該封印ケース内に収容することで該主制御基板が前方から視認されるようにするとともに、前記遊技盤よりも縦長の箱状であって前面が開口したケース体を該遊技盤の背面を覆うように固着することにより該遊技盤の裏側および前記封印ケースの裏側に一連の大きな収容空間を形成し、該収容空間に前記演出装置やその駆動機構が収容されるようにしたことを特徴とする遊技盤ユニット。
【発明の詳細な説明】
【技術分野】
【０００１】
本発明は、パチンコ遊技機，アレンジボール遊技機，雀球遊技機等の弾球遊技機に交換可能に設けられる遊技盤ユニットに関するものである。
【背景技術】
【０００２】
パチンコ遊技機等の弾球遊技機は、一般に方形枠状の機枠（外枠とも称される）と、該機枠の一側縁に水平面内で回転可能（開閉可能）なるように軸支された本体枠（遊技機本体または遊技板取付枠、機構板等とも称される）と、該本体枠の前面に着脱可能なるように取り付けられた遊技盤と、該遊技盤の前面を覆うように前記本体枠の一側縁に水平面内で回転可能なるように軸支された前面枠（透明板保持枠、ガラス枠または前面扉とも称される）とからなり、前記本体枠に球発射装置、球払出装置、賞球タンク等が設けられ、前記前面枠には透明板が設けられているほか、球皿および打球発射ハンドル等が設けられている。また、前記本体枠の他側縁に施錠装置が設けられ、該施錠装置により該本体枠と前記機枠とを閉状態に施錠し得るようにするとともに該本体枠と前記前面枠とを閉状態に施錠し得るようにしている。そして前記前面枠の前面に設けられた鍵孔に特定のキーを挿入してシリンダ錠を一方向に回転操作することにより該本体枠と前記前面枠と解錠されて該前面枠が前方に開放可能となり、シリンダ錠を反対方向に回転操作することによっては該本体枠と前記機枠とが解錠されて該本体枠が前方に開放可能となるように構成されている。
【０００３】
また、近年のパチンコ遊技機は、リサイクルや経済性の観点から遊技盤が交換可能に構成され、例えば下記特許文献１および特許文献２に示されたパチンコ遊技機では、本体枠に設けられたクランプ装置を操作することにより遊技機の前面側から遊技盤を交換できるようにしている。
【０００４】
ところで一般に遊技盤には、前面の球誘導レールによって囲われた遊技領域に多数の釘、可変入賞口、風車、等が突設されているほか、大型の液晶表示装置やギミックと称される電動式の大型の演出装置が設けられており、このような演出装置は、遊技にインパクトを持たせ、娯楽性を高められる演出をするために、益々大型化する傾向にある。
また、こうした液晶表示装置や演出装置を制御する制御基板、および、可変入賞口を開閉制御するメイン基板（主制御基板）等の制御基板は、一般に例えば特許文献２の図４に示されたように遊技盤の背面に配設されている。
【先行技術文献】
【特許文献】
【０００５】
【特許文献１】特開２０１０−２２５９１号公報
【特許文献２】特開２０１３−８５８０４号公報
【発明の概要】
【発明が解決しようとする課題】
【０００６】
ところで、一般にパチンコ遊技機は全体の大きさが幅、奥行きともに一定以下に制限されているために、上記のように遊技盤に大型の演出装置を設けるためのスペースを十分に確保することができず、特に大型で奥行きもある演出装置を設けようとすると、遊技盤背面の制御基板が邪魔になるという問題があった。
【０００７】
また、周知のように特定の入賞口からの入賞信号に対して所定の確率で可変入賞口を開閉動させるため設けられている主制御基板は、遊技の結果に影響を及ぼす機能を有する基板であり、遊技者にとって有利または不利であるかに直結する重大な制御を司る基板であるので、ＲＯＭを交換するなどの不正な改造が行なわれることがないように、従来から遊技盤の裏側に固設された封印ケース内に設けられている。しかし、従来のように主制御基板が遊技盤の背面に設けられていると、遊技盤を裏返しにしないと見ることができないので、不正改造の有無等を検査するのに手間が掛かるという問題があった。
【課題を解決するための手段】
【０００８】
本発明に係る遊技盤ユニットは上記課題を解決しようとするもので、遊技盤の下縁より下方に位置するように透明な封印ケースを固設し、該遊技盤に設けられた可変入賞口の開閉動を司る主制御基板を前記封印ケース内に収容し、該主制御基板が前方から視認されるようにしたことを特徴とする。
また、本発明は上記遊技盤ユニットにおいて、封印ケースの裏側にアウト球排出路，入賞球排出路等の球排出路を設けたことを特徴とする。このように球排出路を遊技盤ユニットに設けることで、アウト球およびセーフ球が直接機外に排出されることとなり、遊技盤ユニットから他の通路を介する必要がなくなるので、アウト球排出路および入賞球排出路の設計を遊技盤の構成に合わせ自由に変更することが可能となる。
【発明の効果】
【０００９】
従来の遊技盤の下方のデッドスペースを制御基板を配置するのに有効活用できるので、奥行きのある大型の演出装置でも十分に余裕をもって設けることが可能となる。
また、主制御基板を前面から視認できるので、手間を要さず容易に不正改造の有無等を検査できるようになる。
【図面の簡単な説明】
【００１０】
【図１】本発明に係る遊技盤ユニットを向かって右側から見た斜視図。
【図２】本発明に係る遊技盤ユニットを向かって左側から見た斜視図。
【図３】本発明に係る遊技盤ユニットの縦断面図。
【図４】本発明に係る遊技盤ユニットの分解斜視図。
【図５】本発明に係る遊技盤ユニットを裏側から見た分解斜視図。
【図６】本発明に係る遊技盤ユニットのケース体の分解斜視図。
【図７】本発明に係る遊技盤ユニットの封印ケース取付部の分解斜視図。
【図８】本発明に係る遊技盤ユニットと筐体の分解斜視図。
【図９】本発明に係る筐体の斜視図。
【図１０】本発明に係る遊技盤ユニットを筐体に組み付ける際の水平断面図。
【図１１】本発明に係る遊技盤ユニットを筐体に組み付けた際の水平断面図。
【図１２】本発明に係るパチンコ遊技機の前面枠を開いた際の斜視図。
【図１３】本発明に係るパチンコ遊技機の外観斜視図。
【発明を実施するための形態】
【００１１】
本発明に係る遊技盤ユニット１は、図４，図５に分解斜視図を示したように、合成樹脂により板状に成形された遊技盤２と、該遊技盤２よりも縦長の箱状であって前面が開口した合成樹脂製のケース体３とを備えている。
遊技盤２は、図１に示したように、前面の外周部分に合成樹脂製の遊技球受枠４およびステンレス製の遊技球誘導レール５が固着され、該球受枠４および該レール５の内側の遊技領域に多数の釘６、風車７、電飾８、通過チャッカー９、始動入賞口１０、普通入賞口１０ａ、可変入賞口１１、アウト球排出口１２等が設けられる。また、該遊技盤２の中央部に大型で奥行きがある演出装置１３が設けられ、該演出装置１３は前方から見ることができる広い内部空間に円盤状の可動体１３ａおよびその両側の動物形の可動体１３ｂがそれぞれモータによって複雑な動きをするように設けられている。なお、これらの可動体の背後に液晶表示装置１３ｃが設けられている。また、該遊技盤２の向かって左側縁の上下部に一対の軸受片１５ａ，１５ｂが突設される。なお、上記の釘６、風車７、電飾８、通過チャッカー９、始動入賞口１０、可変入賞口１１、および演出装置１３等の配置は機種によって様々であるので図２〜図５では図示を省略している。
【００１２】
一方、ケース体３は、後述する球発射装置との干渉を避けるために図６に示されるように向かって左側の下縁部３０は切除され、また向かって右側の下縁部３１は後述する電源装置および遊技球払出基板との干渉を避けるために凹窪状に形成されている。さらに、図５にも示すように該ケース体３の向かって右側奥部は後述する球払出装置との干渉を避けるために縦溝状の凹窪部３２が形成され、また該ケース体３の上縁には後述する払出球タンクとの干渉を避けるため部分的凹窪部３３が形成されている。なお、３４は次に説明する組付板２０を固着するために形成されたボスである。
【００１３】
図６に示したように、横長板状の組付板２０が周縁部の透孔２０ａにビスを貫挿することにより前記ケース体３の前面開口の下縁部寄りに固着される。該組付板２０は、図７にも示したように、一端部に前記下縁部３０と合致する曲面部２０ｂが形成され、上縁部に前記アウト球排出口１２と合致する枠状部２０ｃが形成され、裏面に該枠状部２０ｃから下方に連なる蛇行状の通路構成部２６ａが形成され、該通路構成部２６ａと隣接するように屈折状の通路構成部２７ａが形成されている。また、板部材２８の表面に該通路構成部２６ａおよび通路構成部２７ａと合致し得る通路構成部２６ｂおよび通路構成部２７ｂが形成され、該板部材２８を組付板２０の裏面にビス止めする。これにより通路構成部２６ａと通路構成部２６ｂとで前記アウト球排出口１２と連通するアウト球排出路２６（図３に示す）が組付板２０の裏側に形成される。また、通路構成部２７ａと通路構成部２７ｂとで前記始動入賞口１０、可変入賞口１１等と連通する入賞球排出路（図示せず）が組付板２０の裏側に形成される。このため、アウト球排出路２６の下端２６ｃから排出されるアウト球、および、入賞球排出路の下端２７ｃから排出されるセーフ球は、直接機外（遊技場の島台に設置されるアウト球タンク）に排出されることとなる。これにより遊技盤ユニットから他の通路を介する必要がないため、アウト球排出路および入賞球排出路の設計を遊技盤に応じて自由に対応することが可能となる。
【００１４】
また、組付板２０の前面に合成樹脂製の封印ケース２１が透孔２２にビスを通すことにより固着される。該封印ケース２１は前面が透明なプラスチック板により形成され内部が透視されるようにしている。そして、主制御基板２３が該封印ケース２１内に設けられる。該主制御基板２３は、前記始動入賞口１０等の特定の入賞口に遊技球が入賞するとその入賞信号に対して所定の確率で前記可変入賞口１１を開閉動させるといった、遊技者にとって有利または不利に拘わる重要な制御をする。なお、該封印ケース２１にはいったん開けると外部にその痕跡が残るように封止ピン２４が設けられている。２５は該主制御基板２３の入出力用コネクタである。
【００１５】
該ケース体３は、開口縁に形成された複数の透孔３ａにビスを貫挿し、該ビスを遊技盤２の背面に形成された螺子孔２ａに螺合することにより、遊技盤２の背面を覆うように固着される。こうすることで、前記封印ケース２１は図１〜図３に示したように遊技盤２の下縁より下方に位置する。このため該封印ケース２１内の主制御基板２３が前方から視認される。また、図３に２点差線で示したように、該ケース体３により遊技盤２の裏側に大きな収容空間３７が形成されるとともに、封印ケース２１の裏側にも該収容空間３７と連なる収容空間３８が形成される。このため上記のように大型で奥行きがある演出装置１３やその駆動機構を収容することができるとともに前記可動体１３ｂを内部に隠すための空間も確保することができる。また、遊技の結果に影響を及ぼす機能が設けられていない表示制御基板や演出制御基板のような基板であってもこれらの収容空間３７，３８に余裕をもって収容することができる。
【００１６】
次にこの遊技盤ユニット１を交換可能に組み込む筐体４０の構成を図８〜図１１に従い説明する。該筐体４０は遊技場の島台に固設し得るように前面が開口する縦長の矩形状なるように鉄板をプレス加工することにより成形され、その前面下縁部に幕板４１が固設され、後側下縁部には高さ調節可能なるようにネジ脚４２が設けられ、該ネジ脚４２により該筐体４０の後方への転倒が防止されるようにしている。なお、３９は釘を打ち込むことが可能な合板等の木片で、該木片を筐体４０の上辺部および下辺部に設けることにより、該筐体４０を釘によって島台に固定し得るようにしている。
【００１７】
そして該筐体４０の向かって左側縁の内面に一対の受金具４３ａ，４３ｂが固着され、該受金具に前記軸受片１５ａ，１５ｂに貫挿し得る支軸４４ａ，４４ｂが突設され、該受金具４３ａ，４３ｂの少し後側には止片４５ａ，４５ｂが固着される。また、該筐体４０の右側縁寄りに遊技盤２を押さえるためのクランプ装置４６ａ，４６ｂが設けられる。なお、クランプ装置４６ｂと略々同高さに遊技盤２の下縁部へ当接し得るように斜面状に形成されたガイド部材４７が突設される。また、該筐体４０の向かって左側縁の上下部に後述する多軸蝶番を固着するための一対の固着基部材４８ａ，４８ｂが固設される。
【００１８】
また、該筐体４０内の向かって左側下隅に前側から順に球発射装置４９とケース入りの中継基板５０とケース入りの球貸制御基板５１が固設される。なお、５２はリード線収納用溝である。また、図９に示されるように、該筐体４０内の向かって右側下隅に前側から順にプラスチック製の透明な封印ケース５３と電源装置５４が固設され、該封印ケース５３内に球払出装置５５を制御する球払出制御基板５６が設けられる。また、該筐体４０内の向かって右側奥隅に縦長形状の球払出装置５５が固設され、該筐体４０の上縁奥部に払出球タンク５８が設けられ、該球払出装置５５の下端部から前方に伸びる球払出樋５７が設けられ、該球払出樋５７の下流前端の球出口５９が前記球払出制御基板ケース５３の上部にて該筐体４０の前面部に露呈するように設けられている。なお、該筐体４０の上縁奥部に前記払出球タンク５８と並んで外部通信用コネクタ６０が設けられている。また、該筐体４０の右側縁上部に電源スイッチおよびヒューズが入った電源ボックス６１が固設されている。６２はリード線収納用溝である。また、該筐体４０の右側縁の上下部に係合片６３ａ，６３ｂが設けられている。また、該係合片６３ａの直下に斜面状のガイド部材６４が突設されている。
このように筐体３０には遊技盤ユニット１を交換する際に該遊技盤ユニット１と一緒に交換する必要がない球発射装置４９、中継基板５０、球貸制御基板５１、球払出制御基板ケース５３、電源装置５４、球払出装置５５、および、これらに付随する装置などの交換不要部品が固設される。
【００１９】
前記遊技盤ユニット１を該筐体４０に組み込むに際しては、前記軸受片１５ａ，１５ｂに前記支軸４４ａ，４４ｂを貫挿することにより遊技盤ユニット１を図１０に示したように先ず該支軸４４ａ，４４ｂを支点として開閉可能にヒンジし、続いて該遊技盤ユニット１を矢印の方向に回転させる。これにより、前記ガイド部材４７上に該遊技盤ユニット１が支持され、遊技盤２の自由端側上下縁がそれぞれ前記クランプ装置４６ａ，４６ｂに把握されて押し込まれることで、該遊技盤ユニット１は図１１、図１２に示したように該筐体３０内に固定される。その際、ケース体３に前記凹窪部３２が形成されているので図１１に示したように該ケース体３が前記球払出装置５５と衝突することなく収容される。そして、該遊技盤２の下部に前記主制御基板２３が入った封印ケース２１が位置し、その隣に並ぶように前記球払出制御基板５６が入った封印ケース５３が位置する。このように封印ケース２１と封印ケース５３とが隣接して配置されることで、主制御基板２３だけでなく球払出制御基板５６も前面から視認され検査が容易になる。
【００２０】
次に前面枠７０の構成を図１２，図１３に従い説明する。前面枠７０には遊技盤２の前面を覆い得る複層ガラスからなる透明板７１が保持されているとともに、下方部の裏側に打球供給装置７２および中継基板ケース７３が設けられ、その前面には上部球受皿７４と下部球受皿７５が一体的に設けられ、該前面枠７０の向かって右側下部に打球発射操作用ハンドル７６が突設されている。なお、８２ａは球貸操作用ボタン、８２ｂはカードなどの記憶媒体の返却操作用ボタンである。また、８３は上部球受皿７４中の遊技球を下部球受皿７５に誘導し得るよう前面枠７０の前面に設けられたスライド式の操作ボタンである。また、前記球払出樋５７の球出口５９と相対するように前面枠７０の下方部の裏側に球入口８４が開設され、該球入口８４は前記上部球受皿７４と連通し、賞球が該上部球受皿７４に払い出される。また、８５は前記遊技球誘導レール５に沿って落下したファウル球を前記下部球受皿７５に誘導するために前面枠７０の下方部の裏側に開設された球受口である。なお、上部球受皿７４内にある遊技球は前記打球供給装置７２を通すことにより一個ずつ前記球発射装置４９に補給され、該球発射装置４９によって前記遊技球誘導レール５に沿って打ち上げられ、前記遊技領域に達する。
【００２１】
そして、該前面枠７０の向かって左側縁の上下部に一対の多軸蝶番７７ａ，７７ｂが設けられ、該多軸蝶番７７ａ，７７ｂを前記固着基部材４８ａ，４８ｂに止着することにより該前面枠７０を筐体３０に開閉可能にヒンジする。なお、前記ガイド部材６４と相対するように該前面枠７０の裏面に上向突起８６が突設され、該上向突起８６は該前面枠７０を閉じたときに前記ガイド部材６４上に乗上げることで、重量のある前面枠７０が容易に筐体３０に閉止されるようにしている。なお、８７は閉止時に遊技盤２の前面に当接するように該前面枠７０の裏側上縁部に設けられた弾性突起である。
【００２２】
また、該前面枠７０の向かって右側縁に施錠装置７８を設け、該前面枠７０の前面に鍵孔が開口したシリンダ錠７９に所定のキーを差し込んで回転することにより、該施錠装置７８のフック８０ａ，８０ｂが前記係合片６３ａ，６３ｂに係脱し、該前面枠７０を図１０に示した閉状態に施錠し得るようにしている。なお、該前面枠７０の上部には前方に突出するケース部８１が形成され、該ケース部８１内にも適宜演出装置を設けられるようにしている。
【００２３】
以上のように本発明に係る遊技盤ユニット１は、主制御基板２３が入った封印ケース２１を遊技盤２の下縁から下方に位置するように設けたことにより、遊技盤２の裏側にあった主制御基板の設置スペースが演出装置を設置するために使用できるようになるので、従来よりも大型で奥行きのある演出装置でも余裕をもって設けられるようになり、遊技を従来より一層面白く迫力のあるものにすることができる。
なお、主制御基板２３以外の演出制御基板、表示制御基板等の基板を封印ケース２１の裏側に設けることも可能であり、そうすることによっては前記ケース体３内をさらに大きな演出装置を収納し得る空間として利用できるようになる。
また、前面枠７０を開けるだけで主制御基板２３を視認することができるので、不正な改造を発見し易くなるとともに検査が容易になる。
また、封印ケース２１の裏側にアウト球排出路２６，入賞球排出路２７等の球排出路を設けたことにより、遊技盤２に設けられる種々の演出装置の構成に合わせて球排出路の位置変更等を容易に行なうことができるようになる。
【００２４】
なお、本発明に係る遊技盤ユニットは、この実施形態に示した演出装置に限らず、遊技盤２に種々の大型の演出装置、液晶表示装置の電子ディスプレイを設けることができる。また、可変入賞口１１についても、この実施形態に示したものに限らず開閉羽根型など、遊技球が入賞可能な大きさが変化し得る種々の入賞口を設けることができる。また、前記筐体４０については必ずしもボックス形に形成されていなくてもよい。
また、遊技盤２の裏側は必ずしも前記ケース体３によって覆わなくてもよく、遊技盤２の下縁部に封印ケース２１を固着することにより、該封印ケース２１を遊技盤の下縁より下方に位置させてもよい。
【符号の説明】
【００２５】
１…遊技盤ユニット、    ２…遊技盤、    ２ａ…螺子孔、    ３…ケース体、    ３ａ…透孔、    ４…遊技球受枠、    ５…遊技球誘導レール、    ６…釘、    ７…風車、    ８…電飾、    ９…通過チャッカー、    １０…始動入賞口、    １０ａ…普通入賞口、    １１…可変入賞口、    １２…アウト球排出口、    １３…演出装置、    １３ａ，１３ｂ…可動体、    １３ｃ…液晶表示装置、    １５ａ，１５ｂ…軸受片、    ２０…組付板、    ２０ａ…透孔、    ２０ｂ…曲面部、    ２０ｃ…枠状部、    ２１…封印ケース、    ２２…透孔、    ２３…主制御基板、    ２４…封止ピン、    ２５…入出力用コネクタ、    ２６…アウト球排出路、    ２６ａ，２７ａ，２６ｂ，２７ｂ…通路構成部、    ２６ｃ，２７ｃ…下端、    ２８…板部材、    ３０，３１…下縁部、    ３２…凹窪部、    ３３…凹窪部、    ３７，３８…収容空間、    ３９…木片、    ４０…筐体、    ４１…幕板、    ４２…ネジ脚、    ４３ａ，４３ｂ…受金具、    ４４ａ，４４ｂ…支軸、    ４５ａ，４５ｂ…止片、    ４６ａ，４６ｂ…クランプ装置、    ４７…ガイド部材、    ４８ａ，４８ｂ…固着基部材、    ４９…球発射装置、    ５０…中継基板、    ５１…球貸制御基板、    ５２…リード線収納用溝、    ５３…封印ケース、    ５４…電源装置、    ５５…球払出装置、    ５６…球払出制御基板、    ５７…球払出樋、    ５８…払出球タンク、    ５９…球出口、    ６０…外部通信用コネクタ、    ６１…電源ボックス、    ６２…リード線収納用溝、    ６３ａ，６３ｂ…係合片、    ６４…ガイド部材、    ７０…前面枠、    ７１…透明板、    ７２…打球供給装置、    ７３…中継基板ケース、    ７４…上部球受皿、    ７５…下部球受皿、    ７６…打球発射操作用ハンドル、    ７７ａ，７７ｂ…多軸蝶番、    ７８…施錠装置、    ７９…シリンダ錠、    ８０ａ，８０ｂ…フック、    ８１…ケース部、    ８３…操作ボタン、    ８４…球入口、    ８５…球受口、    ８６…上向突起、    ８７…弾性突起
【図１】
0006675869.tif 000002
【図２】
0006675869.tif 000003
【図３】
0006675869.tif 000004
【図４】
0006675869.tif 000005
【図５】
0006675869.tif 000006
【図６】
0006675869.tif 000007
【図７】
0006675869.tif 000008
【図８】
0006675869.tif 000009
【図９】
0006675869.tif 000010
【図１０】
0006675869.tif 000011
【図１１】
0006675869.tif 000012
【図１２】
0006675869.tif 000013
【図１３】
0006675869.tif 000014